Podtech/llm-jp-corpus-v4-ja_patent huggingface dataset:
(57)【要約】【課題】どこでも気軽にボクシング運動が出来るようにする事。【解決手段】運動者の体にボクシング運動装置を固定するための板（１）を肩にかけ（３）、胴をベルト（４）でしめ、板の上部からアーム（２）を前方に伸ばし、先の部分に弾力性のある棒（５）をさし込み（８）、その棒の反対側にパンチボール（６）をとり着けた。【選択図】図２
2011015943.tif 000002
【特許請求の範囲】
【請求項１】
せまい家の中でも野外でも気軽にボクシング運動するために、肩にかけ胴をベルトでしめ、体に固定するための板の上部からアームを前方に延ばし、先の部分に弾力性のある棒を差し込み、その棒の反対側にパンチボールを取り付ける。
【発明の詳細な説明】
【発明の詳細な説明】
【技術分野】
【０００１】  運動用具として、小人も大人も女性も利用できます。
【背景技術】
【０００２】  ボクシング運動が出来るものは、ボクシングジムなどの専門的な場所の建物の天井、壁などに取り付けられたものです。
【発明が解決しようとする課題】
【０００３】  どこでも気軽にボクシング運動が出来るようにする事。
【課題を解決するための手段】
【０００４】  気軽にどこでもボクシング運動が出来るようにするため、運動者自身に装置を取り付ける事を考えました。運動者の背中に、肩にかけ（３）胴の部分をベルト（４）でおさえ、背負う形の板（１）、そしてその上部から前方にアーム（２）をつき出し、アームの先端に弾力棒（５）をさし込む方法を考えました。弾力棒は釣り竿（グラスファイバー、カーボンなど）のいくらか手の力で曲がる部分の６０センチメートル位を使用。太い方をアーム先端の穴（１２）にさし込み、細い方にボール部分（６）をとりつけます。さし込み部分（８）には、ボールを打った時の運動者側への反復を少し抑える意味で、半円状の板（７）を２０センチメートル程内側にそえ、反対側はボルト（１１）でしっかり均等に押さえるための板（９）をそえます。
【発明の実施の形熊】
【０００５】  この発明を背中に背負い、腰を少し落とし左右の手で交互にボクシング運動をします。
【発明の効果】
【０００６】  どこでも気軽にボクシング運動ができ、体に対する衝撃もなく、ボールの動きに集中するので３分も運動すると暑くなります。迫力もあります。
【図面の簡単な説明】
【図１】本発明の背面斜視図である。
【図２】本発明の正面斜視図である。
【図３】本発明の弾力棒さし込み部分の断面図である。
【図４】本発明の弾力棒さし込み部分の部品図である。
【符号の説明】１  背負い板  ２  アーム  ３  肩かけ  ４ベルト  ５  弾力棒  ６  パンチボール  ７  反復抑制棒  ８  さし込み部  ９  しめ板  １０  ベルト通し  １１  しめネジ
【図１】
2011015943.tif 000003
【図２】
2011015943.tif 000004
【図３】
2011015943.tif 000005
【図４】
2011015943.tif 000006
(57)【要約】【課題】生理用ナプキンの経血の漏れを防ぐために作った谷間の間にプリーツを提供する。【解決手段】生理用ナプキン本体（１）の後方に、（２）の谷間を入れ両端の先を（３）の様にカットし、間にプリーツ（４）を設ける。【選択図】図１
2011015944.tif 000002
【特許請求の範囲】
【請求項１】
生理用ナプキン（１）の後方に、（２）の谷間を入れ、そのすき間にプリーツ（３）を装着したプリーツ付きのナプキン
【発明の詳細な説明】
【発明の詳細な説明】
【技術分野】
【０００１】この発明は、生理用ナプキンが、身体のカーブに添い易く、また動き易くするためにナプキンに谷間が入ったプリーツ付きの生理用ナプキンに関するものである。
【背景技術】
【０００２】従来の生理用ナプキンは平面で、谷間などのデザインのものはなかった。
【発明が解決しようとする課題】
【０００３】これには、次のような欠点があった。
（イ）股間は、平面ではなく、複雑な構造をしていて、平面構造は、股間に当てても、動くと中央で折れ、山型になって、角度のキツい山の先が皮フに当たって痛みの原因になっている。
（ロ）平面の生理ナプキンでは、出来た山形の折れが身体の動きで一定せずよれたりねじれたりして、すき間から経血がもれる原因になっていた。
本発明は、これらの欠点を除くためになされたものである。
【課題を解決するための手段】
【０００４】生理用ナプキン本体（１）の後方の中央に谷間（２）を設ける。
そして、両端の先を（３）の様にカットし、間にプリーツを設ける。（４）
【本発明の実施の形態】
【０００５】以下、本発明の実施の形態について説明する。
（イ）生理用ナプキン本体（１）の後方の中央に谷間（２）を設ける。
（ロ）そして、両端の先を（３）の様にカットする。
（ハ）カットの間にプリーツ（４）を設ける。
本発明は、以上のような構造で、これを使用する時は生理用ショーツに装置するのみである。
【発明の効果】
このように、生理用ナプキンが、股間にフィットし、ねじれ、よれなどがなく経血のもれを防ぐことができる。
【図面の簡単な説明】
【図１】本発明の正面図である。
【図２】本発明の使用状態を示す側面図である。
【符号の説明】１．生理用ナプキン本体
２．谷間
３．両端のカット
４．プリーツ
【図１】
2011015944.tif 000003
【図２】
2011015944.tif 000004
(57)【要約】      （修正有）【課題】本物の音楽を聴くために時間と高価なチケット代金を支払ってコンサート会場に行かねばならない現状、時間もお金もない大多数の人々に本物の音楽を聴く機会を得られるようにする。【解決手段】電気的合成音の自動演奏楽器とは全く異り、本物の楽器をベースにした自動生演奏楽器を小規模コンサートホールに常設し、廉価で自動生演奏楽器に依るコンサートをオンデマンドで開催する企画・運営方式。【選択図】なし【特許請求の範囲】
【請求項１】
当該自動演奏楽器は電気的合成を行って演奏音を生成する自動演奏楽器と全く異り、弦を振動させて演奏音を発生する自動生演奏楽器を使用し、電子自動演奏楽器と明確に区別するものである。
【請求項２】
小規模コンサートホールに於て、各種自動生演奏楽器（請求項１で示したもの）を常設し、臨場感溢れる力強さと豊かさがほとばしる本物の演奏を指揮者の隣の席の様なすぐ近くで聴くことを廉価でオンデマンドに開催するコンサート形式の企画、運営方式
【請求項３】
各種自動生演奏楽器を一同に集めた場合オーケストラ編成と同様に、ソフトの統一化音程合わせ、チューニング等高度な技術を必要とする
【請求項４】
自動生演奏楽器は同時に本物の楽器そのものなので、国内外のプロの演奏家を招くコンサート企画、運営も行う。
【請求項５】
自動生演奏楽器の常設された小規模ホールは癒しと喜びの空間となり、多目的ホールとして無限の活用が出来る。
【発明の詳細な説明】
【技術分野】各種自動生演奏楽器
【背景技術】各種演奏楽器の進歩・普及
【要約】
【課題】
本物の音楽の演奏を聴く為には時間と高価なチケット代金を支払ってコンサート会場に行かねばならない現状で時間もお金もない大多数の人々は本物の音楽を聴く機会がない。
【解決手段】
自動生演奏楽器における、プロの演奏者の自動生演奏ソフトの技術の進歩・高度化により、自動生演奏楽器から臨場感溢れる本物の音・音楽がオンデマンドに聴ける。
自動生演奏音楽ソフトも３万曲近くあり、クラシックからポピューラー・歌謡曲・民謡・子どものうた・アニメ主題曲もあり、多数の人々のニーズに何時でも、即座に答えることが出来る。
【手続補正書】
【提出日】平成21年12月22日(2009.12.22)
【手続補正１】
【補正対象書類名】明細書
【補正対象項目名】全文
【補正方法】変更
【補正の内容】
【発明の詳細な説明】
【技術分野】
【０００１】全自動生演奏可能なピアノの日本での出現
１９世紀にはピアノの本場のヨーロッパでも考案されていたが日本で更に進化し多彩な楽器音も加えオーケストラ編成の音楽もオンデマンドで聴くことが出来る様になった【０００２】平成２１年には全自動生演奏楽器のバイオリンも発表された
【背景技術】
【０００３】近年のデジタル技術の目覚しい進歩により電子音もその精度を上げている【０００４】インターネットの利用により全自動演奏生楽器の遠隔操作も可能になる
【発明の概要】
【発明が解決しようとする課題】
【０００５】本物の音楽を聴く為に高価なチッケット代金を払い都心のコンサート会場に行かなければならず、時間もお金も無い大多数の人々は本物の音楽を聴く機会に恵まれないのが現状である
【課題を解決するための手段】
【０００６】郊外のさまざまな拠点に小規模コンサートホールを設置し各種全自動生楽器を常設して各種全自動生楽器によるコンサートをオンデマンドでしかも安価で開催する企画・運営方式
【発明の効果】
【０００７】各種全自動生演奏によるオンデマンドで安価なコンサートは本物の音楽に遠い地域の人々にも生の音楽が持つ生命感溢れる力強さと豊かさは多くの人々に安らぎと生きる勇気を与える
【図面の簡単な説明】
【０００８】
【図１】各種全自動生楽器によるまちづくり地域活用概念図
【符号の説明】１．小規模コンサートホール及び全自動生演奏楽器
２．行政関係
３．教育関係
４．医療・介護関係
５．子育てサロン
６．コンサート・発表会・地域交流の場
７．アート＆フォトギャラリー
８．海外交流
【手続補正２】
【補正対象書類名】図面
【補正対象項目名】全図
【補正方法】追加
【補正の内容】
【図１】
2011015942.tif 000002
(57)【要約】      （修正有）【課題】家族、知人から携帯電話で送られて来る、素晴らしい景色や祭りの臨場感、家族や孫の仕草は、携帯電話の小さなディスプレーでは、雄大さや臨場感、近親感が得られにくいので、大きな画面のテレビ等の画像音声映像機器で見聞き出来る様にする。【解決手段】デジタルカメラ、ビデオカメラ等の映像音声出力端子を携帯電話に組込み、ＵＳＢケーブルや映像音声接続ケーブル等にて画像音声映像機器の映像入力端子と音声入力端子に接続し、コンピューターソフトや外部入力機器等を使用する事なく直接画像音声を送り、テレビ等の画像音声映像機器で通話中の音声やメールで送られて来る映像を見聞き出来る携帯電話端末器。【選択図】図１
2011015378.tif 000002
【特許請求の範囲】
【請求項１】
携帯電話にビデオカメラやデジタルカメラ等の画像音声出力端子を組込み、テレビやパソコン等の画像音声映像機器に接続ケーブル等で接続して直接映像音声を送り、外部処理装置やソフトウェア等を使用する事なくテレビ等の画像音声映像機器で携帯電話の映像音声、情報を映像化出来る携帯電話端末機。
【請求項２】
携帯電話にメール等で送られてきた、映像、音声を画像音声出力端子から接続ケーブルでテレビ等の画像音声映像機器の映像入力端子と音声入力端子に接続し、携帯電話のディスプレー画面の映像がテレビ等の拡大画面で見る事が出来、音声もテレビ等の受像機から聞く事が出来る携帯電話端末機。
【発明の詳細な説明】
【技術分野】
【０００１】この発明は一般の携帯電話をテレビ等の画像音声映像機器に接続し、映像や音声を携帯電話のディスプレーより大きな画面で見聞き出来る接続に関する一切のシステムです。
【背景技術】
【０００２】デジタルカメラやビデオカメラ等の画像音声出力端子等と同様にＵＳＢやＡＶ接続方式等にて、高齢者が苦手なソフトウェアを使用する事も無く、携帯電話からテレビ等の画像音声映像機器へ直接送れて携帯電話の画像、音声を見聞きする事が出来る接続方式。
【発明の概要】
【発明が解決しようとする課題】一般の携帯電話のディスプレーは小型で、音声も一般のテレビ等の画像音声映像機器に比べると聞きづらく、特に高齢者にとっては携帯電話のディスプレーは見にくく、楽しみに待っている家族からの映像音声は携帯電話のディスプレーやスピーカーでは楽しめない。大きいディスプレーでは送信者旅行先の景色もリアルに見られ臨場感も得られる。【０００３】携帯電話端末機に映像音声出力端子を組込み、ＵＳＢケーブルや映像音声接続ケーブル等で映像音声出力機器に接続し、携帯電話内の映像、音声、データー等をテレビ等の機器で大画面、大音声で見聞き出来る様にする接続方式全般です。
【発明を解決するための手段】
【０００４】小型化されたデジタルカメラ等の映像音声出力端子を携帯電話に取付け、ＵＳＢケーブルや映像音声接続ケーブル等で画像音声映像機器の映像入力端子と音声入力端子に接続し、携帯電話内の情報、通信音声、メール等ディスプレーに表示される映像を接続された画像音声映像機器に送る。
【０００５】携帯電話の映像音声を画像音声映像機器にソフトウェアを使用する事無く直接送り、映像音声をテレビ等の画像音声映像機器にて見聞き出来る。
【発明の効果】
テレビ等の画像音声映像機器はどこの宿泊施設にも設置されており容易に使用出来き、ディスプレーが大きくなる事により画像が大きくなり、高齢者にはより明確に見る事が出来、大型ディスプレーにより携帯電話送信者旅行先のカメラ映像、景色も鮮明に見え臨場感が増します。携帯電話のディスプレーの中の子供や孫、家族の映像がテレビ等の大きな画像音声映像機器で見る事が出来、近くに感じられる。
【発明を実施する為の形態】
携帯電話の製造過程で、従来のイヤホンマイク端子部や空きスペースを利用し映像音声出力端子を組込む。
【図１】
2011015378.tif 000003
【手続補正書】
【提出日】平成21年8月27日(2009.8.27)
【手続補正２】
【補正対象書類名】明細書
【補正対象項目名】全文
【補正方法】変更
【補正の内容】
【発明の詳細な説明】
【技術分野】
【０００１】この発明は一般の携帯電話をテレビ等の画像音声映像機器に接続し、映像や音声を携帯電話のディスプレーより大きな画面で見聞き出来る接続に関する一切のシステムです。
【背景技術】
【０００２】デジタルカメラやビデオカメラ等の映像音声出力端子等と同様にＵＳＢやＡＶ接続方式等にて、高齢者が苦手なソフトウェアを使用する事も無く、携帯電話からテレビ等の画像音声映像機器へ直接送れて携帯電話の映像、音声を見聞きする事が出来る接続方式。
【発明の概要】
【発明が解決しようとする課題】一般の携帯電話のディスプレーは小型で、音声も一般のテレビ等の画像音声映像機器に比べると聞きづらく、特に高齢者にとっては携帯電話のディスプレーは見にくく、楽しみに待っている家族からの映像音声は携帯電話のディスプレーやスピーカーでは楽しめない。大きいディスプレーでは送信者旅行先の景色もリアルに見られ臨場感も得られる。【０００３】携帯電話端末機に映像音声出力端子を組込み、ＵＳＢケーブルや映像音声接続ケーブル等で映像音声出力機器に接続し、携帯電話内の映像、音声、データー等をテレビ等の機器で大画面、大音声で見聞き出来る様にする接続方式全般です。
【発明を解決するための手段】
【０００４】小型化されたデジタルカメラ等の映像音声出力端子を携帯電話に組込み、ＵＳＢケーブルや映像音声接続ケーブル等で画像音声映像機器の映像入力端子と音声入力端子に接続し、携帯電話内の情報、通信音声、メール等ディスプレーに表示される映像を接続された画像音声映像機器に送る。
【０００５】携帯電話の映像音声を画像音声映像機器にソフトウェアを使用する事無く直接送り、映像音声をテレビ等の画像音声映像機器にて見聞き出来る。
【発明の効果】
テレビ等の画像音声映像機器はどこの宿泊施設にも設置されており容易に使用出来る、ディスプレーが大きくなる事により画像が大きくなり、高齢者にはより明確に見る事が出来、大型ディスプレーにより携帯電話送信者旅行先のカメラ映像、景色も鮮明に見え臨場感が増します。携帯電話のディスプレーの中の子供や孫、家族の映像がテレビ等の大きな画像音声映像機器で見る事が出来、近くに感じられる。
【発明を実施する為の形態】
携帯電話の製造過程で、従来のイヤホンマイク端子部分や空きスペースを利用し、テレビ等の画像音声映像機器に接続できる映像音声出力端子を組込む。
【図面の簡単な説明】
【０００６】
【図１】携帯電話に映像音声出力端子を組込み、この出力端子にＡＶ接続ケーブルやＵＳＢ接続ケーブル等の映像音声接続ケーブルの端子等を接続し、テレビ等の画像音声映像機器の入力端子に接続する、テレビ等の画像音声映像機器の電源を入れ、映像機器の取扱説明に従い外部入力設定等を行い、携帯電話内の情報、通信音声、メール等をテレビ等の大きい画面、音声で見聞き出来る、携帯電話への映像音声出力端子組込による接続方式です。
(57)【要約】【課題】  従来の受信器・送信器による探し物機は健常者には使用できるが身体障害者には使用不可能となる構造であった。アラーム音により居場所を知らせていたためである。【解決手段】  受信器に振動、発光、音による三種類の応答を備えたことにより、身体障害者の方でも探し物を容易にすることが出来る。【選択図】図１
2011015377.tif 000002
【特許請求の範囲】
【請求項１】
振動素子、発光素子、発音素子を配設した受信器と複数のチャンネルを配設した送信器との間で電波を使って通信することによって探し物を発見することを特徴とするＡＲＥＤＯＣＯＩＴＡ。
【請求項２】
前記受信器より電池残量情報を送信器へと送る機能を備えたことを特徴とする請求項１記載のＡＲＥＤＯＣＯＩＴＡ。
【請求項３】
前記受信器はゼーベック効果を用いた発電素子による起電力により充電する機能を備えたことを特徴とする請求項１記載のＡＲＥＤＯＣＯＩＴＡ。
【請求項４】
前記受信器は光起電力素子による起電力により充電する機能を備えたことを特徴とする請求項１記載のＡＲＥＤＯＣＯＩＴＡ。
【請求項５】
前記受信器・送信器はＡＣアダプターによる充電する機能を備えたことを特徴とする請求項１記載のＡＲＥＤＯＣＯＩＴＡ。
【請求項６】
前記受信器は磁石、クリップ、シール、マジックテープにより対象物に装着する機能を備えたことを特徴とする請求項１記載のＡＲＥＤＯＣＯＩＴＡ。
【請求項７】
前記受信器は携帯電話、ＰＣからのメールによる信号によっても応答する機能を備えたことを特徴とする請求項１記載のＡＲＥＤＯＣＯＩＴＡ。
【発明の詳細な説明】
【技術分野】
【０００１】  本発明は、一般家庭用機器ならびに福祉機器として物探しの便利化に関するものである。
【背景技術】
【０００２】  時代が進むにつれ物が豊かになり、現在の各家庭には多くの物がある。
さらにそれらは、それぞれ異なる大きさをしている。そのような状況下で探し物をすることは浪費することになる。【０００３】  従来の物探し機は音を鳴らすことにより居場所を知らせていた。すなわちそれは身体障害者（例えば耳の不自由な方他）には使用不可となる。
【発明の開示】
【発明が解決しようとする課題】
【０００４】  以上に述べた従来の物発見機は身体障害者の方々には使用出来ない。【０００５】  本発明は、このような従来の構成が有していた問題を解決しようとするものであり、身体障害者の方々も使用可能とし、より多くの方々が有用性を高めた物探し機により探し物の浪費を軽減することを実現することを目的とするものである。
【課題を解決するための手段】
【０００６】  上記問題点を解決するため本発明は以下の構成を採用した。
受信器は振動素子、発光素子、発音素子を配設しており触覚、視覚、聴覚認識出来る応答をする。
【発明の効果】
【０００７】  この構成によれば、健常者だけでなく身体障害者の方でも使用可能となる。
また、本発明はゼーベック効果を用いた発電素子による起電力、光起電力素子による起電力により充電も行うことから電池の長期寿命を期待できる。さらに図２に記載してあるように様々な装着方法により多種類の物に軽微に装着出来ることから実用性が高い。
【図面の簡単な説明】
【０００８】
【図１】本発明の表面の概要図を示す
【図２】本発明の裏面の概要図を示す
【符号の説明】
【０００９】ａ：ゼーベック効果を用いた発電素子、光起電力素子
ｂ：振動素子
ｃ：発光素子
ｄ：発音素子
ｅ：電池残量表示ディスプレー
ｆ：チャンネル
ｇ：磁石
ｈ：クリップ
ｉ：シール
ｊ：マジックテープ
ｋ：吸盤
１：電波送信口
２：電波受信口
【産業上の利用可能性】
【００１０】  以上、記述したように、本発明のＡＲＥＤＯＣＯＩＴＡは、物探しに用いるもので、健常者よりも日常生活に苦労されている身体障害者の方々のサポートになる可能性があり、最新の技術で社会福祉機器をステークホルダーとして社会的責任を果たします。
【図１】
2011015377.tif 000003
【図２】
2011015377.tif 000004
(57)【要約】      （修正有）【課題】ソーメンの選別に関し、所定の寸法の良い麺を自動選別できる、ソーメンの長さ選別装置を提供する。【解決手段】裁断された乾麺を選択板受け箱１の中にセットした選択板２に入れて、リニアガイド７に沿って、選択板が繰り返し斜め上下動作をすることにより、乾麺が選択板底部に形成されたスリットから乾麺の定尺以下の物が落下し、屑麺滑り板６を通り、本機器外へ排出される。排出箇所には容器をセットした。選択受け箱が斜め上下動作して、最下部に位置したとき、ゴム板支え５の上面に取付けしたゴム板４がスリット３に接触して、スリット箇所に乾麺が渋滞がある場合にはゴム板４で押し上げで解消する。斜め上下動作により、選択板にいれた乾麺は箱内を順次移動回転して、乾麺同士の擦り合わせがあり、磨きが掛かる。又、全体的な乾麺の箱内移動で選別に効果が期待できる。【選択図】図１
2011015651.tif 000002
【特許請求の範囲】
【請求項１】
乾麺の選別板を内蔵した支え箱に揺動機構を取り付けた乾麺選別装置において、
前記選別板の底面に製品規格乾麺の長さより短いスリットを少なくとも一条以上設刻したことを特徴とする乾麺選別装置。
【請求項２】
上記スリットの下方に間隔を有して押し戻し部材を配設したことを特徴とする
請求項１に記載の乾麺選別装置。
【請求項３】
上記スリットを複数条平行に刻設したことを特徴とすることを特徴とする
請求項１と請求項２に記載の乾麺選別装置。
【請求項４】
隣り合う上記平行スリットが位相を有することを特徴とする請求項１から請求項３に記載の乾麺選別装置。
【発明の詳細な説明】
【技術分野】
【０００１】
本発明は乾麺の束から屑麺を自動的に選別できる乾麺選別装置を提供すること。
【背景技術】
【０００２】
現在は熟練を要する手作業による選別作業で、製品規格乾麺の長さより短い屑乾麺をピンセットで探し、抜き取る作業をしている。
【先行技術文献】
【特許文献】
【０００３】
【特許文献１】公開特許公報（特開平９−２８２７６号）
【発明の概要】
【発明が解決しようとする課題】
【０００４】
人手不足、後継者不足、熟練を要する作業などから屑麺の選別作業ができる労働者を得ることが困難になってきて、自動化と効率化が切望されている。
【課題を解決するための手段】
【０００５】
乾麺の選別板を取り外しができる内蔵した支え箱に揺動機構を取り付けた乾麺選別装置において、前記選別板の底面に製品規格乾麺の長さより短いスリットを少なくとも一条以上刻設し、更に、スリットの下方に間隔を有して渋滞した乾麺を押し戻し部材を配設した。加えて、スリットを複数条平行に、且つ位相を有するように刻設した乾麺選別装置である。
【発明の効果】
【０００６】
本願の請求項１記載の発明によれば、選別板底部に製品規格乾麺より短いスリットを1条以上刻設して、乾麺が通過する事でスリットから製品規格乾麺長さ以下分が脱落します。本願の請求項２記載によれば、スリット下方に位置するゴム支え板上に設置のゴムが選別板刻設箇所へ下部より接触することでスリット箇所へ何らかの事情で渋滞した乾麺を解消します。本願の請求項３記載によれば、複数条平行に刻設により、多数の選別位置を有することで、確実な動作とした。本願の請求項４記載によれば、選別板へ複数条平行且つ平行方向へ刻設することで、乾麺の直行方向位置ズレに対応して確実に製品規格乾麺長さ以下を選別する乾麺選別装置が提供できた。
【図面の簡単な説明】
【０００７】
【図１】本発明の一実施例の本体斜視図
【図２】本発明の一実施例の選別板の斜視図
【図３】本発明の一実施例の支え箱の斜視図である。
【発明を実施するための形態】
【０００８】
以下、本発明の詳細、その他の特徴及び利点について発明を実施する為の最良の形態について説明する。本発明の乾麺選別装置は製品の規定長さと規定長さより短い乾麺の選別する方式である。選別方式は適量の乾麺を支え箱内選別板と投入して、揺動する事で、選択板底部に設刻したスリットより規定長さ以外の乾麺が
自動的に選別されて脱落する。
【実施例】
【０００９】
図１は、本発明の一実施例を示す乾麺選別装置の本体斜視図で、図１に図示する
如く乾麺の選別板２を乾麺の規格（太さ、長さ）着脱できる内蔵した支え箱１にリニアガイド７に沿って動力伝達用モータ８を介して揺動機構する乾麺選別装置において、前記選別板２の底面に製品規格乾麺の長さより短いスリット３を少なくとも一条以上、本実施例では三条用を刻設した。必要に応じてスリット３は増減する。更に、スリット３の下方に間隔を有して渋滞した、図示省略の乾麺を押し戻し部材であるゴム板４をゴム支え板５を介在して取り付けた。滑り板６は選択板２に刻設したスリットの下方に滑るように斜め取り付けた事で屑麺を効率的に排泄可能とした。
図２は、選別板２の斜視図で、選別板２にスリット３が複数条平行に刻設されている状況を図示している。図３は、支え箱１の斜視図で、支え箱１の底面に穿設した角穴は図示し、選択板２のスリット３から脱落する屑乾麺の位置する所に配置して、支え板１から選択板２を乾麺の規格に応じて着脱可能にした。
【産業上の利用可能性】
【００１０】
本実施例では、乾麺選別装置に本発明を適用した事例であったが、スパゲティ麺など
の選別装置としても適用できる。
【符号の説明】
【００１１】
１支え箱
２選別板
３スリット
４ゴム板
５ゴム支え板
６屑麺滑り板
７リニアガイド
８動力伝達用モータ
【図１】
2011015651.tif 000003
【図２】
2011015651.tif 000004
【図３】
2011015651.tif 000005
(57)【要約】【課題】  従来のおにぎりに比べ栄養価が高く、積み上げて販売できる焼きおにぎりを提供する。【解決手段】  米飯に生おからを混ぜ込んだおにぎりとなるベースを作り、それに各具材を混ぜ込み、長方形のブロック状に形成し全面を焼くことを特徴とする。【選択図】図１
2011015667.tif 000002
【特許請求の範囲】
【請求項１】
米飯に生おからと具材を混ぜ込み、長方形のブロック状に形成し全面を焼いたおから入り焼きおにぎり。
【発明の詳細な説明】
【技術分野】
【０００１】  本発明は、米飯に生おからと具材を混ぜ込み、長方形のブロック状に形成し全面を焼いた、おから入りブロック焼きおにぎりに関するものである。
【背景技術】
【０００２】  従来、おにぎりは米飯の中に具材を入れたもの、また混ぜ込んだもので、形状も三角及び丸型が主でのりを巻いたものが主体である。他に焼きおにぎりもあり三角及び丸型に形成したおにぎりの表面に醤油または味噌等の調味料を付けて焼き上げたものである。コンビニエンスストアなどではおにぎりの軽便さから主力商品となっている。【０００３】  特許文献１には米全体の量の中で１〜４割程度の量が餅米となるように、うるち米等通常の米と餅米を混合して炊き上げたご飯に具を入れて混ぜご飯とし、三角形の一辺の長さに対して厚さが１／８〜１／４程度の薄さからなる三角形のおにぎりを形成し、このおにぎりの面を焼き上げたものが記載されている。【０００４】
【特許文献１】特開２０００−６９号公報
【発明の概要】
【発明が解決しようとする課題】
【０００５】  従来、おにぎりは主に米飯と少量の具材、のりで構成されており、栄養バランスにおいては充分とはいえない。【０００６】  形状においては、三角及び丸型のためコンビニエンスストアなどの販売ケースでは一段しか置くことができず、補充が多く必要である。【０００７】  おにぎりにのりを巻くことは相性も良く好まれているが、のりを使用することにより材料費、包装費が原価をあげている要因になっているのが現状である。
本発明は以上の問題点を解決するものである。
【課題を解決するための手段】
【０００８】  上記問題点解決のため、本発明はおにぎりとする米飯に生おからを混ぜ込むことにより、従来の米飯だけのおにぎりよりおからの高い栄養素を同時に摂取することができる。【０００９】  おにぎりのベースとなる米飯に生おからを混ぜ込んだものに、後工程で焼くことを考慮したフレーク状の具材を混ぜ込むことにより、バリエイションができ種々の味が楽しめる。【００１０】  次に長方形のブロック状に形成するが、米飯に生おからを混ぜ込んだ状態では米飯だけのものより粘着力がなく、形が崩れる恐れがあるため、つなぎとして摺った長いもを混ぜ込むことにより形が崩れにくくなる。【００１１】  長方形のブロック状に形成されたおにぎりを焼き付け機に通し、おにぎり全体がきつね色になるように焼きつける。【００１２】  焼きあがったブロック状おにぎりを常温まで冷やし、開封テープ付きフィルムで包装することにより、食するときに簡単に開封でき手を汚さずに食することができる。
以上の形状よりなるおから入りブロック焼きおにぎりである。
【発明の効果】
【００１３】  米飯に生おからを混ぜ込むことにより、おからの栄養素である大豆たんぱく質が血液をきれいにし今日社会問題となっているメタボリックシンドロームや生活習慣病の予防に役立ち、豊富に含まれる食物繊維は食べすぎを防ぎ、便通の改善ともなりダイエットにも効果がある。他にイソフラボン、サポニン、レシチン等が含まれており、更年期障害や骨粗しょう症、乳がんなどの予防に役立ち栄養バランスも良くなる。【００１４】  混ぜ込む具材のバリエイションにより種々の味を楽しむことができる。また食するときには具材が全体に混ぜ込んであるため、最初から最後まで均一した味を食することができる。【００１５】  おにぎりを長方形のブロック型にすることにより、従来の三角及び丸型が一段しか陳列できなかったのが、積み上げて大量に置くことができる。【００１６】  おにぎり個々の包装も長方形のブロック状のため、隣り合う面が直角となり包装も安易である。【００１７】  店舗などへの輸送において梱包に空間ができず、最小限度の梱包で済み梱包資材の削減となる。
【図面の簡単な説明】
【００１８】
【図１】本発明の本体を概略的に示す斜視図
【図２】本発明の包装状態を概略的に示す斜視図
【発明を実施するための形態】
【００１９】  以下、本発明を実施するための形態について説明する。
生おからは具材に合わせて塩、醤油で味付けを行い、米飯１０に対して２．５の割合で混ぜ込み、具材の割合は具材により１．５〜２．５混ぜ込む。具材によっては生おからの味付けとは別に塩、醤油で味を調える。具材にはさけフレーク、きざみ梅干し、佃煮こんぶ、鳥そぼろ、鳥五目、焼き明太子フレーク、野沢菜漬け等が適している。
【００２０】  この状態で長方形のブロック状に形成すると、形が壊れる恐れがあるため、つなぎとして擂った長いもを全体の２割程度混ぜ込むことにより形成が保たれる。
【００２１】  １個の大きさとしては、食した時の一個に対する満足感、及び販売ケースでの陳列を考慮し、横幅７５ｍ／ｍ、奥行き３５ｍ／ｍ、高さ３５ｍ／ｍ、とした場合、重量は具材により８５〜９０ｇとなる。
【００２２】  長方形のブロック状に形成されたおにぎりを焼き付け機に通し、全面をきつね色に焼き付け、おから入りブロック焼きおにぎり（１）を完成させる。
【００２３】  完成したおから入りブロック焼きおにぎりを常温まで冷やし、開封テープ付きフィルム（２）で包装する。
【符号の説明】
【００２４】  １  おから入り焼きおにぎり
２  シュリンクフィルム
３  開封テープ
【図１】
2011015667.tif 000003
【図２】
2011015667.tif 000004
(57)【要約】【課題】餅を連続的に圧延する場合に於いて、餅の粘性や温度の違いが生じてもその影響による厚みのバラツキを抑え、均一の厚みで圧延することを実現する。【解決手段】餅を圧延するための2本のロールの両端、及び必要によりそのロールの中間にロールの直径よりも大きいフランジを設け、そのフランジの端面を互いに密着させることにより餅の出口を形成して餅を送り出すようにする。【選択図】図１
2011015666.tif 000002
【特許請求の範囲】
【請求項１】
餅を圧延するための2本のロールの両端、及び必要によりそのロールの中間にロールの直径よりも大きいフランジを設け、そのフランジの端面を互いに密着させることにより餅の出口を形成して餅を圧延するロール
【請求項２】
上記のロールを用いて餅を連続して圧延する、圧延餅の製造方法
【発明の詳細な説明】
【技術分野】
【０００１】
本発明は、厚みが正確でかつ、残り餅の出ない餅の圧延ロールと、そのロールを使用した圧延餅の製造方法に関するものである。
【背景技術】
【０００２】
餅を圧延する場合、ローラーにより連続的に圧延できれば生産効率は格段にアップするが、従来は餅の付着力が大きいために難しかった。
【０００３】
その為、スクリューなどを用いて圧力により細長いノズルから押し出し、それを引き伸ばすことにより板状にする方法が取られている。
【０００４】
その方法では餅の温度や粘度により押し出し量に大きなバラツキが生じ、厚みのばらつきの原因となっている。
【０００５】
特に厚さを10ｍｍ以下にしようとするとそのばらつきは許容を超えることが多く、ほとんど使用されていない。
又、スクリューなどの押し出し部分に多くの餅が残り、処理の手間や再利用することによる品質の低下の原因になっている。
【発明の概要】
【発明が解決しようとする課題】
【０００６】
解決しようとする問題点は、餅を板状に連続圧延する場合に餅の温度や粘性の変化により厚みが大きくばらつくことを抑えることである。
【課題を解決するための手段】
【０００７】
本発明は、２本のローラーで餅を圧延する構造において、各々のローラーの端部及び必要により中間部の一部の直径を大きくして且つ、その部分の外周を互いに密着させることにより、そこに形成される空間から餅を押し出すようにしたものである。
【発明の効果】
【０００８】
この構造により餅は押し出される際には４周すべてが送り出されることになり、付着力や反発力による抵抗を抑えて順調に送り出されることになる。
【図面の簡単な説明】
【０００９】
【図１】図１は本発明の具体例として幅広で１列に押し出す場合の平面図である。
【図２】図２は本発明の具体例として幅狭で７列に押し出す場合の平面図である。
【図３】図３は本発明の動作原理を示す側断面図である。
【符号の説明】
【００１０】
１    ロール
２    フランジ部
３    側板
４    餅
【産業上の利用可能性】
【００１１】
圧延ロールに形成される溝の形状を変えることにより単に板状・帯状の餅を圧延するだけでなく、ひも状、かまぼこ状の形状で圧延することもでき、応用範囲は広い。
【００１２】
もち米を原料とする米菓はうるち米を原料とするものと違って薄く一定に圧延することが難しかったため、四角い箱や円筒状の容器に餅を入れて冷蔵庫で数日かけて固め、その後、切断・乾燥・焙焼などの工程を取っている。
【００１３】
本発明の方法で薄く一定に圧延することができればそのまま、型抜き・乾燥・焙焼と、一貫して生産でき、効率は大幅にアップする。
【００１４】
本発明は餅だけでなく、かまぼこなどの練り製品は勿論、食品以外のペースト状のものの圧延にも応用できる。
【図１】
2011015666.tif 000003
【図２】
2011015666.tif 000004
【図３】
2011015666.tif 000005
(57)【要約】【課題】  小骨の多い鱧を骨切りなどしなくても全部食べられるようにして、従来できなかったフィレーの形での焼き物に調理し、新たな食べ方を提案する。【解決手段】  鱧の頭と内臓を取り除き三枚卸に処理し骨切りは行わない下処理工程と、圧力鍋に鱧を敷き詰めアルミホイルで型崩れしないよう形を整える整形工程と、煮汁を限界まで少なくして圧力をかけ加熱し続ける加熱工程と、圧力を抜かずに放置冷却後そのまま摂氏５度付近まで冷まして型崩れを防ぐと同時に味を染み込ませる熟成工程と、冷却された硬い状態からコンロまたはガスバーナーを使って表面のみ水分調整及びたれの塗布を行う仕上げ工程とを備えたことを特徴としている鱧の蒲焼製造方法。【特許請求の範囲】
【請求項１】
鱧の頭と内臓を取り除き三枚卸に処理し骨切りは行わない下処理工程と、圧力鍋に鱧を敷き詰めアルミホイルで型崩れしないよう形を整える整形工程と、煮汁を限界まで少なくして圧力をかけ加熱し続ける加熱工程と、圧力を抜かずに放置冷却後そのまま摂氏５度付近まで冷まして型崩れを防ぐと同時に味を染み込ませる熟成工程と、冷却された硬い状態からコンロまたはガスバーナーを使って表面のみ水分調整及びたれの塗布を行う仕上げ工程とを備えたことを特徴としている鱧の蒲焼製造方法。
【発明の詳細な説明】
【技術分野】
【０００１】  本発明は小骨が多く熟練の技が必要な鱧の骨切り処理をすることなく簡易調理を可能にし、大きな身で提供することが難しかった鱧蒲焼加工方法に関する。
【背景技術】
【０００２】  鱧料理は基本的にほとんど三枚卸にした後で骨切り処理を必要とし、その処理は調理人の職人技でしか行えず素人が行うにはかなりの修行が必要である。骨切りしない調理といえばすり身にする、骨と骨の間の身を取って刺身にする以外に方法は無かった。【０００３】  そこで骨切り処理を簡略化しようと、例えば特許文献１（特開２００９−０２３０８１号公報）や特許文献２（特開２００３−２２０５９３号公報）のように機械による骨切り装置の開発が試みられている。しかし骨切りをすることは変形や破壊が起こりやすく、また２ｍｍを超える身厚さの切込みでは骨が口内に刺さる可能性もあるが、鱧骨そのものを処理する料理は行われてこなかった。
【特許文献１】特開２００９−０２３０８１号公報
【特許文献２】特開２００３−２２０５９３号公報
【発明の概要】
【発明が解決しようとする課題】
【０００４】  前記手法による骨切りでは身が薄くなってしまうのでどうしても調理後の変形や破壊が付き物で、それを防ぐ手立てはない。また皮に限りなく近くまで切り込む必要もあり事実上姿状態、またはフィレー状態でのお客様への提供は不可能である。また熟練した技術者がいたとしても最高の状態である０．１１ｍｍ間隔での切り込みを行わせたら人件費等経済性に問題があり、中小企業や家庭では骨切り装置を導入する事も経済的に問題があり必要性もない。【０００５】  本発明は前記従来の方式を解決するために成されたもので、鱧の持つ旨味も利用し、骨切りを廃し、骨切りに要する時間や人件費を削減し、フィレー状態での蒲焼を可能とし、素人でも本格的鱧料理を楽しめることを目的とする。
【課題を解決するための手段】
【０００６】  前記課題を解決する本発明の鱧蒲焼の製造方法は、以下の特徴を有する。
鱧の頭と内臓を取り除き三枚卸に処理し骨切りは行わない下処理工程と、圧力鍋に鱧を敷き詰めアルミホイルで型崩れしないよう形を整える整形工程と、煮汁を限界まで少なくして圧力をかけ加熱し続ける加熱工程と、圧力を抜かずに放置冷却後そのまま摂氏５度付近まで冷まして型崩れを防ぐと同時に味を染み込ませる熟成工程と、冷却された硬い状態からコンロまたはガスバーナーを使って表面のみ水分調整及びたれの塗布を行う仕上げ工程とを備えたこと。
【発明の効果】
【０００７】  小骨を食べられるように処理する本発明により骨切り処理の必要はなくなった。また骨切りしないので加熱調理においても身の破損などがなく形を温存できる。
【発明を実施するための形態】
【０００８】  本発明の実施形態に係る鱧蒲焼の製造方法を説明する。鱧の頭と内臓を取り除き三枚卸に処理し骨切りは行わない下処理工程と、圧力鍋に鱧を敷き詰めアルミホイルで型崩れしないよう形を整える整形工程と、煮汁を限界まで少なくして圧力をかけ加熱し続ける加熱工程と、圧力を抜かずに放置冷却後そのまま摂氏５度付近まで冷まして型崩れを防ぐと同時に味を染み込ませる熟成工程と、冷却された硬い状態からコンロまたはガスバーナーを使って表面のみ水分調整及びたれの塗布を行う仕上げ工程とを備える。  これにより鱧の持つ旨味も利用し、骨切りを廃し、骨切りに要する時間や人件費を削減し、身の変形や破壊の心配も減少し綺麗なフィレー状態での蒲焼を可能とし、特殊な技能は必要なくなり素人でも本格的鱧料理を楽しむ事が出来る。
【０００９】  下処理工程は鱧の頭部分切断後内臓を取り出し水洗いし三枚卸にする工程であり、従来は骨切りをこの段階で行うのが常であった。骨切りを行わないので自由なサイズの切り分けが可能である。背骨部分もそのまま処分することなく加熱工程で煮汁と一緒に加熱しエキスを抽出しその後食べることも可能な柔らかさになるので廃棄を減らし有効利用できる。
【００１０】  整形工程は下処理工程で適宜寸法に切断した身を圧力鍋の底から並べて行くが、隙間が出来ると加熱中に動いてしまうのでアルミホイルを利用して隙間の無いように仕切ってその上にさらに積み重ねていくことで煮崩れを防ぐことが可能となる。
【００１１】  加熱工程は整形工程で入れた鱧の並べられた鍋に醤油ベースの煮汁を身が浮かないよう必要ギリギリ量を入れ、０．８ｋｇ／ｃｍ２の圧力を維持しつつ沸騰後３０分〜５０分間超弱火での加熱を行う。煮汁が多いと身が浮いてしまい整形工程が無駄になってしまう。圧力を上げすぎたり５０分を超えて調理を行うと身が破損してしまったり食感が良くない仕上がりになりさらには炭化させてしまうおそれもある。３０分以下の加熱や低い圧力では骨が柔らかくならず口に刺さる危険がある。
【００１２】  熟成工程は加熱工程が終了後に圧力を抜かずに蓋をしたまま鍋ごと流水もしくは送風機で冷却し全体を冷ますことで煮汁の味を身に染み込ませると同時に整形した形を維持するために必要である。また冷却後さらに冷蔵庫に入れるのも確実性および身に含まれる水分量の調整と衛生面への配慮によるものである。
【００１３】  仕上げ工程は煮鱧を鍋から取り出し鉄網に並べ、ガスコンロまたはガスバーナー表面のみを加熱することで水分量と硬さの調整を行い、続いて蒲焼のたれを塗布しながらさらに加熱して風味を出す。この時加熱しすぎると破損や炭化の原因となる。
(57)【要約】【課題】  解決しようとする問題点は、従来のせんべいにおいて沖縄赤瓦やセメント瓦の形状のせんべいはなかった。また、副原料として沖縄産みかんの皮、ドラゴンフルーツ、田芋、里芋、もろみ粕を用いたせんべいはなかった。【解決手段】  本発明は、米粉、又はでんぷんを主原料とし、この主原料に副原料及び水を加えて混練し、沖縄赤瓦または、セメント瓦の形状に成型後、焼成、又はフライングして製造することを特徴とするせんべいであり、副原料として沖縄産みかんの皮、ドラゴンフルーツ、田芋、里芋、もろみ粕を用いたせんべいであり、またその製造方法である。【選択図】なし【特許請求の範囲】
【請求項１】
米粉、又はでんぷんを主原料とし、この主原料に副原料及び水を加えて混練し、沖縄赤瓦の形状に成型後、焼成、又はフライングして製造することを特徴とするせんべい。
【請求項２】
米粉、又はでんぷんを主原料とし、この主原料に副原料及び水を加えて混練し、沖縄セメント瓦の形状に成型後、焼成、又はフライングして製造することを特徴とするせんべい。
【請求項３】
前記の副原料は、少なくとも沖縄産みかんの皮であることを特徴とする請求項１又は請求項２に記載のせんべい。
【請求項４】
前記の副原料は、少なくとも沖縄産ドラゴンフルーツであることを特徴とする請求項１又は請求項２に記載のせんべい。
【請求項５】
前記の副原料は、少なくとも沖縄産田芋であることを特徴とする請求項１又は請求項２に記載のせんべい。
【請求項６】
前記の副原料は、少なくとも沖縄産里芋であることを特徴とする請求項１又は請求項２に記載のせんべい。
【請求項７】
前記の副原料は、少なくとも沖縄産もろみ粕であることを特徴とする請求項１又は請求項２に記載のせんべい。
【請求項８】
前記の請求項１から請求項７までのいずれかの項に記載のせんべいの製造方法。
【請求項９】
鬼瓦の形状まんじゅう。
【発明の詳細な説明】
【技術分野】
【０００１】  本発明は、せんべい及びせんべいの製造方法に関するものである。
【背景技術】
【０００２】  従来のせんべいは、米粉、小麦粉、でんぷん粉等を原料とし、これを薄く焼き上げられ又は、フライされた後、適当な調味料を加えて味付けされ、製造されるものが知られている。【０００３】  従来のせんべいの製造方法として特開２００５−２４５３５６号公報などが開示されている。
【先行技術文献】
【特許文献】
【０００４】
【特許文献１】特開２００５−２４５３５６号公報
【発明の概要】
【発明が解決しようとする課題】
【０００５】  解決しようとする問題点は、従来のせんべいにおいて沖縄赤瓦やセメント瓦の形状のせんべいはなかった。また、副原料として沖縄産みかんの皮、ドラゴンフルーツ、田芋、里芋、もろみ粕を用いたせんべいはなかった。
【課題を解決するための手段】
【０００６】  本発明の請求項１は、米粉、又はでんぷんを主原料とし、この主原料に副原料及び水を加えて混練し、沖縄赤瓦の形状に成型後、焼成、又はフライングして製造することを特徴とするせんべいである。【０００７】  本発明の請求項２は、米粉、又はでんぷんを主原料とし、この主原料に副原料及び水を加えて混練し、沖縄セメント瓦の形状に成型後、焼成、又はフライングして製造することを特徴とするせんべいである。【０００８】  本発明の請求項３は前記の副原料は、少なくとも沖縄産みかんの皮であることを特徴とする請求項１又は請求項２に記載のせんべいである。沖縄県産みかんとは、タンカン、サンタ紅、シークァーサーなどが使用できる。【０００９】  本発明の請求項４は前記の副原料は、沖縄産ドラゴンフルーツであることを特徴とする請求項１又は請求項２に記載のせんべいである。【００１０】  本発明の請求項５は前記の副原料は、少なくとも沖縄産田芋であることを特徴とする請求項１又は請求項２に記載のせんべいである。【００１１】  本発明の請求項６は前記の副原料は、少なくとも沖縄産里芋であることを特徴とする請求項１又は請求項２に記載のせんべいである。【００１２】  本発明の請求項７は前記の副原料は、少なくとも沖縄産もろみ粕であることを特徴とする請求項１又は請求項２に記載のせんべいである。【００１３】    本発明の請求項８は、前記の請求項１から請求項７までのいずれかの項に記載のせんべいの製造方法である。【００１４】  本発明の請求項９は、鬼瓦の形状のまんじゅうである。
【発明の効果】
【００１５】  本発明は、以下の効果がある。
（１）沖縄赤瓦の形状のせんべいを提供できる。
（２）セメント瓦の形状のせんべいを提供できる。
（３）沖縄赤瓦の形状のせんべいの製造方法を提供できる。
（４）セメント瓦の形状のせんべいの製造方法を提供できる。
【発明を実施するための最良の形態】
【００１６】  本発明のせんべいは、沖縄赤瓦、又はセメント瓦の形状に成型したせんべいであり、赤瓦せんべいの場合は、副原料として沖縄県産みかんの皮を用い、又は赤いドラゴンフルーツの実、紅麹を用いて赤瓦の色彩を出す。また、セメント瓦の場合は、副原料として田芋里芋、もろみ粕を用いてセメント瓦の色彩を出すようにしたものである。
主原料は米粉又は、でんぷん粉のどちらかを用いることができる。
せんべいの焼成、或いはフライングについては従来より用いられている方法から任意に選択して使用できる。
(57)【要約】【課題】  従来のソーラーカーパネルの取り付けはサンルーフに直接取り付けるかアングルなどで取り付けるしかありませんでした。取り付け不可能な車種が多く廃車時は高価なソーラーパネルも廃棄となり車だけにしか使用できない。利用価値も低い。【解決手段】  ソーラーカーパネルをマグネットや真空パットなどでサンルーフなどに取り付ける事により安全性を高め車に傷が付かないようにベースにシリコン樹脂などを用いる。又サンルーフなどの熱でソーラーパネル電気効率が落ちるのでパネルの下に断熱材や真空などにて電気の効率を上げる。車の廃棄時は着脱し別の車に取り付けるか家庭の屋根へ取り付ける事などができる。車に取り付けたままでもパワーコンディショナなどから商用電源へ売電出来る。【選択図】図１
2011015602.tif 000002
【特許請求の範囲】
【請求項１】
環境に対応したハイブリット車、電気自動車などにソーラーパネルを取り付け電気エネルギーをバッテリーに充電し走行距離を延ばしＣＯ２を削減する、マグネットや真空パットなどで安全走行を高めソーラーパネルを簡単に着脱し再利用することができる。
【請求項２】
車のバッテリーの負担を軽くし安全の為過充電保護回路，過昇温度サーモなどを取り付け外部電源などからも充電可能。
【請求項３】
車にソーラーパネルを装着したままでも着脱した状態でも環境エネルギーとしてパワーコンディショナなどから家庭商用電源へ売電できる。
【発明の詳細な説明】
【技術分野】
【０００１】  本発明は太陽エネルギーを電気エネルギーに変えて未来のエコエネルギーとして活用する。
【背景技術】
【０００２】  従来の太陽エネルギーの使用方法をハイブリット車．電気自動車，家庭などに利用して太陽パネルの利用と各家庭への促進に着目し国内の環境と電気エネルギーを供給する事を目的とする。
【発明の概要】
【発明が解決しようとする課題】
【０００３】  従来の方法で車などに直接取り付けると廃車時に高価な太陽パネルが廃棄され再利用出来ない．又各家庭の太陽光パネルの普及がなされていない
【課題を解決するための手段】
【０００４】  このような目的を達成する本発明は、車や家庭の屋根などに取り付けて車のバッテリーに電気エネルギーを供給し車のサンルーフや家庭の屋根から直接家庭のパワーコンディショナなどから商用電源へ売電し国内の電源エネルギーを助ける。
【発明の効果】
【０００５】  上述のしたように本発明のソーラーカーパネル着脱式により再利用が簡単になり、太陽エネルギーにより車のバッテリーに充電、走行距離を延ばし車のＣ０２を削減でき、夜間電力とソーラーカーパネルから車のバッテリーへ充電をする事により消費者の負担を軽減する。又国内の電力不足を補う為にも個人の持つ車、家庭の屋根などからパワーコンディショナなどにて商用電源へ売電し消費者の負担を軽減できる。
【図面の簡単な説明】
【０００６】
【図１】  本発明の実施の一形態を表わす、ソーラーカーパネルと機能の断面図
【図２】  ソーラーカーパネルに取り付ける、電源ボックスの拡大図
【図３】  ソーラーカーパネルの利用方法の図
【考案を実施する為の形態】
【０００７】  以下、本発明ソーラーカーパネルの製造方法と利用方法の実施の形態について、図面を参照して説明する．
【実施例】
【０００８】  本発明のソーラーパネルを車に取り付ける時マグネット、及び真空パットなどによって風圧に対応できる構造に作る。家庭においてもソーラーパネルとして再利用ができパワーコンディショナなどから商用電源へ売電となる．
【産業上の利用可能性】
【０００９】  本発明によって車、電気関連事業などの雇用の安定をはかり製造業などの生産の増産に日本の環境問題も改善できる。
【符号の説明】
【００１０】１、  ソーラーパネル
２、  トップグリル｛車の色に合わせる事ができる｝
３、  ウィング    ｛車の色に合わせる事ができる｝
４、  サイドカバー｛車の色に合わせる事ができる｝
５、  回転軸      ｛前部｝
５ａ  回転軸      ｛後部｝
６、  マグネット  ｛前部｝
６ａ  マグネット  ｛後部｝
７、  盗難防止鍵  ｛前部｝
７ａ  盗難防止鍵  ｛後部｝
８、  シリコン樹脂｛ベース部｝
９、  真空、断熱材
１０、  真空パット
１１、  真空
１２、  真空計      ｛運転席側｝
１３、  電源ボックス
１４、  接続線      ｛車との接続線｝
１５、  過充電保護回路、過昇温度サーモ
１６、  車のバッテリー
１７、  ヒューズボックス  ｛売電、家庭用商用電源用｝
１８、  家庭用電源プラグ  ｛売電、家庭用商用電源へ出力｝
１９、  ヒューズボックス  ｛ソーラーパネル｝
２０、  ソーラーパネル電源プラグ  ｛ソーラー外部電源プラグ出力｝
２１、  ヒューズボックス  ｛過充電保護用｝
２２、  過充電保護器プラグ｛車バッテリーへ充電家庭用電源から｝
２３、  ソーラーカーパネル｛車に搭載｝
２４、  ソーラーパネル    ｛車から外したソーラーパネル｝
２５、  接続箱
２６、  パワーコンディショナ
２７、  家庭用分電盤
２８、  売電電力計から商用電源へ
【図１】
2011015602.tif 000003
【図２】
2011015602.tif 000004
【図３】
2011015602.tif 000005